(57)【特許請求の範囲】
【請求項１】
駆動源の回転駆動力を、回転動作と停止動作とが繰り返し行われる被駆動回転体に解除自在に伝達する動力伝達装置において、
駆動源と被駆動回転体との間に配設されて駆動源と被駆動回転体とを駆動連結するトルクリミッタと、作動時には被駆動回転体の回転を停止させ非作動時には被駆動回転体の回転を自在に許容するブレーキ手段とを備え、
ブレーキ手段の非作動時においては、駆動源の回転駆動力はトルクリミッタを介して被駆動回転体に伝達されて被駆動回転体は回転させられ、ブレーキ手段の作動時においては、被駆動回転体の回転が停止させられると共に駆動源から被駆動回転体への回転駆動力の伝達がトルクリミッタにおいて遮断されることにより被駆動回転体の回転の停止が維持される、ことを特徴とする動力伝達装置。
【請求項２】
ブレーキ手段は電磁クラッチにより構成され、電磁クラッチは、入力部材及び出力部材を備えると共に電磁力の非作用時には、入力部材は出力部材に対し相対回転自在にさせられ、電磁力の作用時には、入力部材は出力部材に対し相対回転できないように連結されるよう構成され、出力部材は回転できないように固定され、入力部材は被駆動回転体に駆動連結され、電磁クラッチの電磁力の非作用時には、入力部材は固定された出力部材に対し相対回転が自在に許容されることにより被駆動回転体の回転が自在に許容され、電磁クラッチの電磁力の作用時には、入力部材は固定された出力部材に対し相対回転できないように連結されて回転が停止させられることにより被駆動回転体の回転が停止させられる、請求項１記載の動力伝達装置。
【請求項３】
用紙受け台と、搬入された用紙を用紙受け台に向けて搬送するための中間搬送路と、搬入された用紙を中間搬送路に沿って搬送する搬送ローラ手段と、搬送ローラ手段によって中間搬送路を通して搬送される用紙を用紙受け台に向けて搬入させるため搬送方向に間隔をおいて配置された、それぞれ被駆動ローラを含む複数の搬入ローラ対と、搬送ローラ手段の下流側において中間搬送路から分岐して中間搬送路に並行して延在してから中間搬送路に合流するよう配設されたバイパス搬送路とを備えたフィニッシャであって、用紙受け台に搬送されて形成される用紙束のうち１セット目の用紙は中間搬送路のみを通して搬送させられ、２セット目以降の１枚目の用紙は中間搬送路を通して搬送される途中において所定の停止位置で一時停止させられ、２枚目の用紙はバイパス搬送路を通して搬送され、次いで中間搬送路で一時停止させられた１枚目の用紙が再搬送させられ、合流させられる２枚目の用紙と重合して用紙受け台に搬入させられるよう構成されたフィニッシャを備えた画像形成機において、
フィニッシャは、駆動源の回転駆動力を、少なくとも該用紙を一時停止させる搬入ローラ対における被駆動ローラに解除自在に伝達する動力伝達装置を備え、動力伝達装置は、駆動源と該被駆動ローラとの間に配設されて駆動源と該被駆動ローラとを駆動連結するトルクリミッタと、作動時には該被駆動ローラの回転を停止させ非作動時には該被駆動ローラの回転を自在に許容するブレーキ手段とを備え、ブレーキ手段の非作動時においては、駆動源の回転駆動力はトルクリミッタを介して該被駆動ローラに伝達されて該被駆動ローラは回転させられ、ブレーキ手段の作動時においては、該被駆動ローラの回転が停止させられると共に駆動源から該被駆動ローラへの回転駆動力の伝達がトルクリミッタにおいて遮断されることにより該被駆動ローラの回転の停止が維持される、
ことを特徴とする画像形成機。
【発明の詳細な説明】
【０００１】
【発明の属する技術分野】
本発明は、駆動源の回転駆動力を被駆動回転体に解除自在に伝達する動力伝達装置、及び該装置を備えた画像形成機、好適な一つの具体例としては、静電複写機やプリンタ等の画像形成機本体に装着され、画像形成機本体から搬入された用紙にステイプル処理、パンチ処理、ソート処理等の用紙後処理を施した後に排出するフィニッシャを備えた画像形成機、あるいは、画像形成機本体の内部に装着され、中間搬送路を通して搬入された用紙にステイプル処理、パンチ処理、ソート処理等の用紙後処理を施した後に排出するフィニッシャを備えた画像形成機、に関する。
【０００２】
【従来の技術】
画像形成機本体から搬入された用紙にステイプル処理、パンチ処理、ソート処理等の用紙後処理を施した後に排出する画像形成機のフィニッシャは、例えば、特開平１１−２６３５２０号公報に開示されている（出願人は三田工業株式会社）。同公報に開示されたフィニッシャは、用紙受け台と、搬入された用紙を用紙受け台に向けて搬送するための中間搬送路と、搬入された用紙を中間搬送路に沿って搬送する搬送ローラ手段と、搬送ローラ手段によって中間搬送路を通して搬送される用紙を用紙受け台に向けて搬入させるため搬送方向に間隔をおいて配置された複数の搬入ローラ対と、搬送ローラ手段の下流側において中間搬送路から分岐して中間搬送路に並行して延在してから中間搬送路に合流するよう配設されたバイパス搬送路と、搬入ローラ対によって用紙受け台に搬入された用紙の一端を受け止めてストックしうる受止手段と、受止手段に受け止められてストックされた用紙束をソート用排出トレイに向けて移動させる用紙移動手段とを備えている。搬入ローラ対の各々は、被駆動回転体である被駆動ローラと従動ローラとから構成されている。
【０００３】
上記フィニッシャはまた、電動モータの回転駆動力を、少なくとも該用紙を一時停止させる搬入ローラ対における被駆動ローラに解除自在に伝達する動力伝達装置を備えている。この動力伝達装置は、同公報においては説明されていないが、一般に、電動モータと該被駆動ローラとを駆動連結する動力伝達手段を備えている。動力伝達手段は、複数のギヤ、電磁クラッチ等から構成されている。電磁クラッチにおける電磁力の作用時（電磁クラッチＯＮの時）には、電動モータの回転駆動力が該被駆動ローラに伝達されて該被駆動ローラは回転駆動させられる。電磁クラッチにおける電磁力の非作用時（クラッチＯＦＦの時）には、電動モータの回転駆動力は電磁クラッチにより遮断されて該被駆動ローラに伝達されず、該被駆動ローラの回転は停止させられる。
【０００４】
上記フィニッシャにおいて、複数セットの用紙束について用紙後処理を行なう場合、用紙受け台に搬送されかつ受止手段に受け止められてストックされることにより形成される用紙束のうち１セット目の用紙は、中間搬送路のみを通して搬送させられる。用紙の搬送は搬送ローラ手段及び搬入ローラ対の各々によって行なわれる。２セット目以降の１枚目の用紙は中間搬送路を通して搬送される途中において所定の停止位置で一時停止させられる。この用紙の一時停止は、上記電磁クラッチのＯＦＦ作動により行なわれる。２セット目以降の２枚目の用紙が搬送ローラ手段によりバイパス搬送路を搬送されている時に、中間搬送路で一時停止させられている１枚目の用紙が再搬送させられる。この再搬送は上記電磁クラッチのＯＮ作動により行なわれる。中間搬送路を再搬送させられた１枚目の用紙の先端と、バイパス搬送路から中間搬送路に合流させられる２枚目の用紙の先端とは、実質上一致させられるタイミングで同時に重合して用紙受け台に搬入させられることが望まれる。３枚目以降の用紙は中間搬送路を通して搬送される。上記のように構成されたフィニッシャによれば、先に用紙受け台に搬入させられた先の用紙束のセットが用紙後処理を遂行中であっても、次の用紙を搬送することができ、搬送効率及び用紙後処理効率が向上される、との優れた効果が得られる。
【０００５】
【発明が解決しようとする課題】
上記したように、２セット目以降の１枚目の用紙と２枚目の用紙とが、各々の先端が実質上一致させられるタイミングで同時に重合して用紙受け台に搬入させられることが望まれるが、そのためには、１枚目の用紙が一時停止させられる所定の停止位置に可能な限り高い精度で正確に停止されることが重要である。先に述べたように、上記フィニッシャにおいて、上記１枚目の用紙の一時停止は、電磁クラッチのＯＦＦ作動により行なわれる。電磁クラッチがＯＦＦされると、該被駆動ローラと電動モータとの駆動連結が遮断され、したがって電動モータからの回転駆動力の伝達が遮断させられる。駆動連結が切り離された該被駆動ローラは、該被駆動ローラを支持する軸受等の摩擦により停止させられる。しかしながら、軸受等の摩擦にはバラツキが存在すること、また電磁クラッチにより切り離された該被駆動ローラ側の回転体に慣性力が存在すること、等に起因して、上記１枚目の用紙が所定の停止位置に正確に、すなわち高い精度の迅速なタイミングをもって停止しないおそれがある。上記１枚目の用紙が所定の停止位置に正確に停止しないで所定の停止位置よりも下流側で停止した場合（オーバランした場合）には、上記１枚目の用紙が再搬送させられた後、合流させられる２枚目の用紙とは、各々の先端が実質上一致させられることなく重合されて用紙受け台に搬入させられるので、重合された２枚の用紙が搬送方向に整合されず、整合不良の用紙束が生成されることになる。また過剰にオーバランした場合には、用紙の先端が用紙受け台側に突入しジャム発生のおそれがある。
【０００６】
上記した問題と同類の問題の存在は、上記形態のフィニッシャに限定されるものではなく、回転動作と停止動作とが繰り返し行なわれる被駆動回転体を備え、しかも被駆動回転体の停止動作に高い精度が求められる装置においては、その種類を問わず、全てに共通して存在するものである。
【０００７】
本発明の目的は、回転動作と停止動作とが繰り返し行なわれる被駆動回転体を高い精度の迅速なタイミングで確実に停止させることを可能にする、新規な動力伝達装置を提供することである。
【０００８】
本発明の他の目的は、回転動作と停止動作とが繰り返し行なわれる、被搬送部材を搬送するための被駆動回転体を高い精度の迅速なタイミングで確実に停止させることを可能にし、その結果、搬送中の被搬送部材を高い精度をもって所定の停止位置に確実に停止させることを可能にする、新規な動力伝達装置を提供することである。
【０００９】
本発明の更に他の目的は、回転動作と停止動作とが繰り返し行なわれる被駆動回転体を高い精度の迅速なタイミングで確実に停止させることを可能にする、新規な動力伝達装置を含む画像形成機を提供することである。
【００１０】
本発明の更に他の目的は、回転動作と停止動作とが繰り返し行なわれる、用紙を搬送するための被駆動回転体を高い精度の迅速なタイミングで確実に停止させることを可能にし、その結果、搬送中の用紙を高い精度をもって所定の停止位置に確実に停止させることを可能にする、新規な動力伝達装置を含む画像形成機を提供することである。
【００１１】
本発明の更に他の目的は、中間搬送路において一時停止された１枚目の用紙の先端と、バイパス搬送路を通して搬送される２枚目の用紙の先端とが搬送方向に高い精度で一致して重合しながら用紙受け台に搬入することを可能にする、新規な動力伝達装置を含むフィニッシャを備えた画像形成機を提供することである。
【００１２】
【課題を解決するための手段】
本発明によれば、駆動源の回転駆動力を、回転動作と停止動作とが繰り返し行われる被駆動回転体に解除自在に伝達する動力伝達装置において、
駆動源と被駆動回転体との間に配設されて駆動源と被駆動回転体とを駆動連結するトルクリミッタと、作動時には被駆動回転体の回転を停止させ非作動時には被駆動回転体の回転を自在に許容するブレーキ手段とを備え、
ブレーキ手段の非作動時においては、駆動源の回転駆動力はトルクリミッタを介して被駆動回転体に伝達されて被駆動回転体は回転させられ、ブレーキ手段の作動時においては、被駆動回転体の回転が停止させられると共に駆動源から被駆動回転体への回転駆動力の伝達がトルクリミッタにおいて遮断されることにより被駆動回転体の回転の停止が維持される、ことを特徴とする動力伝達装置、が提供される。
ブレーキ手段は電磁クラッチにより構成され、電磁クラッチは、入力部材及び出力部材を備えると共に電磁力の非作用時には、入力部材は出力部材に対し相対回転自在にさせられ、電磁力の作用時には、入力部材は出力部材に対し相対回転できないように連結されるよう構成され、出力部材は回転できないように固定され、入力部材は被駆動回転体に駆動連結され、電磁クラッチの電磁力の非作用時には、入力部材は固定された出力部材に対し相対回転が自在に許容されることにより被駆動回転体の回転が自在に許容され、電磁クラッチの電磁力の作用時には、入力部材は固定された出力部材に対し相対回転できないように連結されて回転が停止させられることにより被駆動回転体の回転が停止させられる、ことが好ましい。
【００１３】
本発明によれば、用紙受け台と、搬入された用紙を用紙受け台に向けて搬送するための中間搬送路と、搬入された用紙を中間搬送路に沿って搬送する搬送ローラ手段と、搬送ローラ手段によって中間搬送路を通して搬送される用紙を用紙受け台に向けて搬入させるため搬送方向に間隔をおいて配置された、それぞれ被駆動ローラを含む複数の搬入ローラ対と、搬送ローラ手段の下流側において中間搬送路から分岐して中間搬送路に並行して延在してから中間搬送路に合流するよう配設されたバイパス搬送路とを備えたフィニッシャであって、用紙受け台に搬送されて形成される用紙束のうち１セット目の用紙は中間搬送路のみを通して搬送させられ、２セット目以降の１枚目の用紙は中間搬送路を通して搬送される途中において所定の停止位置で一時停止させられ、２枚目の用紙はバイパス搬送路を通して搬送され、次いで中間搬送路で一時停止させられた１枚目の用紙が再搬送させられ、合流させられる２枚目の用紙と重合して用紙受け台に搬入させられるよう構成されたフィニッシャを備えた画像形成機において、
フィニッシャは、駆動源の回転駆動力を、少なくとも該用紙を一時停止させる搬入ローラ対における被駆動ローラに解除自在に伝達する動力伝達装置を備え、動力伝達装置は、駆動源と該被駆動ローラとの間に配設されて駆動源と該被駆動ローラとを駆動連結するトルクリミッタと、作動時には該被駆動ローラの回転を停止させ非作動時には該被駆動ローラの回転を自在に許容するブレーキ手段とを備え、ブレーキ手段の非作動時においては、駆動源の回転駆動力はトルクリミッタを介して該被駆動ローラに伝達されて該被駆動ローラは回転させられ、ブレーキ手段の作動時においては、該被駆動ローラの回転が停止させられると共に駆動源から該被駆動ローラへの回転駆動力の伝達がトルクリミッタにおいて遮断されることにより該被駆動ローラの回転の停止が維持される、
ことを特徴とする画像形成機、が提供される。
【００１４】
【発明の実施の形態】
以下、本発明にしたがって構成された動力伝達装置、及び該装置を含むフィニッシャを備えた画像形成機の好適な実施の形態を、添付図面を参照して更に詳細に説明する。
【００１５】
図１及び図２を参照して、番号１００は画像形成機である静電複写機を示しており、複写機１００は、直方体状の画像形成機本体である複写機本体１０２を備えている（図１においてはいずれもその一部のみが示されている）。複写機本体１０２の一側部には用紙排出口が形成され、用紙排出口の直上流位置には用紙排出ローラ対１０４が配設されている。複写機１００それ自体の構成は周知の構成を利用することでよいので、以下、その構成の一つの実施形態について、図示しないで簡単に説明する。複写機本体１０２の最上部位置には原稿搬送装置を含む原稿搬送読取装置が配置されている。複写機本体１０２内における、原稿搬送読取装置の下方位置には、レーザ光走査手段が配設されている。
【００１６】
複写機本体１０２内における、レーザ光走査手段よりも下方位置には、用紙搬送路が、複写機１００の横方向（図１において左右方向）に延在するよう配置されている。用紙搬送路に関連して、画像形成手段が配設されている。画像形成手段は、感光体ドラム、感光体ドラムの周囲に配置された、主帯電器、現像器、転写ローラ、クリーナ、除電器等の作像エレメントを備えている。画像形成手段はまた、用紙搬送路における、感光体ドラムよりも下流位置に配置された定着装置を備えている。用紙搬送路における、感光体ドラムよりも上流位置には、その上流から下流に向かって、分離ローラ対、搬送ローラ対及びレジストローラ対がその順に配置されている。分離ローラ対の上流側には給紙カセット及び給紙ローラが配設されている。用紙搬送路における、感光体ドラムに対応した位置には搬送ベルト機構が配置されている。転写ローラは、搬送ベルト機構に含まれる搬送ベルトを挟んで感光体ドラムの外周面に対向するよう配置されている。用紙搬送路における、定着装置の下流位置に、上記用紙排出ローラ対１０４が配置されている。
【００１７】
原稿搬送読取装置においては、所定数の原稿を移動させる間に各原稿の画像が読み取られ、画像情報として記憶される。原稿搬送読取装置に記憶された画像情報は、レーザ光走査手段によって、主帯電器により一様に帯電された感光体ドラムの表面に照射される。感光体ドラムの表面には静電潜像が形成される。この静電潜像は現像器により現像される。他方、給紙ローラにより給紙カセットから搬送された用紙は、分離ローラ対、搬送ローラ対の順に搬送され、レジストローラ対により所定のタイミングで感光体ドラムと転写ローラとにより形成される転写部に向けて搬送される。用紙が転写部を通過する間に、用紙の上向きの片面には、感光体ドラムの表面に形成された現像が転写ローラによって転写される。片面に画像が転写された用紙は搬送ベルト機構によって定着装置に搬送され、該画像は定着装置を通過する間に用紙の片面に定着される。片面に画像が定着された用紙は、上記用紙排出ローラ対１０４によって後述するフィニッシャ２に排出される。以上のとおりにして、用紙搬送路を用紙が搬送される間に、用紙の上側の片面に画像が形成される。
【００１８】
フィニッシャ２は、直方体形状のハウジング４を備えている。ハウジング４の、複写機本体１０２の上記一側部と対向する一側部であって用紙排出口と対向する位置には用紙搬入口６が設けられている。用紙搬入口６は、上下方向に間隔をおいて対向するよう配置されかつ複写機本体１０２の用紙排出口に向かって上下に開くよう配設された案内板対により構成されている。ハウジング４内には、用紙搬入口６からハウジング４の他側部方向に向かって延びる第１用紙搬送路８が配設されている。ハウジング４内にはまた、第１用紙搬送路８から分岐して後述する用紙受け台２０に向かって延びる第２用紙搬送路１０が配設されている。なお第２用紙搬送路１０は、複写機本体１０２から搬入された用紙を用紙受け台２０に向けて搬送するための中間搬送路を構成する。第１用紙搬送路８と第２用紙搬送路１０との分岐部には分岐爪１２が配設されている。第１用紙搬送路８における上記分岐部には搬送ローラ手段１４が配設されている。搬送ローラ手段１４は、比較的大径の被駆動ローラ１４ａと、被駆動ローラ１４ａに圧接されて連れ回りさせられる比較的小径の２個の従動ローラ１４ｂ及び１４ｃとから構成されている。従動ローラ１４ｂ及び１４ｃは、被駆動ローラ１４ａの周方向に間隔をおいて被駆動ローラ１４ａの外周面に圧接されており、従動ローラ１４ｂは、第１用紙搬送路８と第２用紙搬送路１０との分岐部の最上流位置に位置付けられている。第１用紙搬送路８の下流端（排出端）にはノンソート用排出ローラ対１６が配設されている。ハウジング４の排出側である他側部にはノンソート用排出トレイ１８が装着され、ノンソート用排出ローラ対１６により排出される用紙を受け入れて収容しうるよう配置されている。
【００１９】
上記分岐爪１２は図示しない電磁ソレノイドによって図２において２点鎖線で示す第１の位置と、図２において実線で示す第２の位置とに作動させられるよう構成されている。電磁ソレノイドがＯＦＦの状態では、分岐爪１２が図２において２点鎖線で示す第１の位置に位置付けられ、上記用紙搬入口６から搬入された用紙は、搬送ローラ手段１４の被駆動ローラ１４ａ及び従動ローラ１４ｂによって、第１用紙搬送路８を通ってノンソート用排出ローラ対１６に向けて搬送される。また、電磁ソレノイドがＯＮされると、分岐爪１２が図２において実線で示す第２の位置に位置付けられ、用紙搬入口６から搬入された用紙は、搬送ローラ手段１４の被駆動ローラ１４ａ及び従動ローラ１４ｂによって、第１用紙搬送路８の分岐部から第２用紙搬送路１０に向けて搬送される。上記第１用紙搬送路８における用紙搬入口６と第２用紙搬送路１０の分岐部との間には、用紙後処理手段であるパンチ処理手段１９が配設されている。なお、第１用紙搬送路８の用紙搬入口６の直下流位置には、搬入される用紙を検出する用紙検出スイッチＳＷ１が配設されている。
【００２０】
ハウジング４内には用紙受け台２０が上下方向に傾斜して延在するよう配設されている。用紙受け台２０の表面は、上下方向に傾斜して実質上直線状に延在するよう配置されている。用紙受け台２０の下方から上方への延長上には、ソート用用紙排出路２２が配設され、ソート用用紙排出路２２の下流端にはソート用排出ローラ対２４が配設されている。ハウジング４の排出側である他側部にはソート用排出トレイ２６が配設され、ソート用排出ローラ対２４により排出される用紙を受け入れて収容しうるよう配置されている。ソート用排出トレイ２６は、図示しない昇降手段により昇降自在に設けられ、後処理が遂行された用紙束が排出される毎に、所定量だけ下降させられる。上記説明から明らかなように、用紙受け台２０は、ソート用排出トレイ２６の上流側に配置されたソート用排出ローラ対２４よりも下方位置において、下方からソート用排出ローラ対２４に向かって上方に傾斜して延在するよう配置されている。
【００２１】
第２用紙搬送路１０は、上記分岐部から下方に向かって湾曲させられた後、用紙受け台２０の表面に対し間隔をおいてほぼ平行に、用紙受け台２０の上方から下方に向かって傾斜して延在するよう配置されている。第２用紙搬送路１０には、第２用紙搬送路１０を通して搬送される用紙を用紙受け台２０に向けて搬入させる複数の搬入手段が配設されている。複写機１００は、搬送方向長さ（サイズ）の異なる複数種類の用紙が複写可能に構成されている。したがって第２用紙搬送路１０には、搬送方向長さの異なる複数種類の用紙が選択的に返送され、搬送方向長さの異なる複数種類の用紙に対応した複数の位置から用紙が用紙受け台２０に向けて選択的に搬入されるよう、搬入手段が複数の位置に配設されている。図１及び図２に示す実施形態においては、第２用紙搬送路１０を通して搬送される用紙は、縦方向に搬送されるＪＩＳにおけるＡ３サイズの用紙（以下、単に「Ａ３縦」と略称する）、縦方向に搬送されるＢ４サイズの用紙（以下、単に「Ｂ４縦」と略称する）、縦方向に搬入されるＡ４サイズの用紙（以下、単に「Ａ４縦」と略称する）及び横方向に搬入されるＡ４サイズの用紙（以下、単に「Ａ４横」と略称する）の４種類であり、したがって、４つの搬入手段３０、３２、３４及び３６が４つの異なった位置にそれぞれ配置されている。
【００２２】
第２用紙搬送路１０における、用紙受け台２０の表面に対し間隔をおいてほぼ平行に延在する領域には、複数の搬入ローラ対、この実施形態においては４対の搬入ローラ対３０Ａ、３２Ａ、３４Ａ及び３６Ａが搬送方向に間隔をおいて配設されている。搬入ローラ対３０Ａ、３２Ａ、３４Ａ及び３６Ａの各々は、それぞれ、被駆動ローラ３０ａ、３２ａ、３４ａ及び３６ａと、それらに圧接させられて連れ回りさせられる従動ローラ３０ｂ、３２ｂ、３４ｂ及び３６ｂとから構成されている。被駆動ローラ３０ａ、３２ａ、３４ａ及び３６ａは、それぞれ被駆動回転体を構成するが、より正確には、それらが一体に回転されるよう固定されている回転軸３０ｃ及び被駆動ギヤ８８（いずれも図３参照）をも含めて被駆動回転体を構成する。搬入手段３０は、第２用紙搬送路１０に配置された搬送ローラ対のうち最上流に位置する搬入ローラ対３０Ａと、搬入ローラ対３０Ａの下流に配設された可動案内部材３１とから構成されている。搬入手段３２は、搬入ローラ対３０Ａの下流に配置された搬入ローラ対３２Ａと、搬入ローラ対３２Ａの下流に配設された可動案内部材３３とから構成されている。搬入手段３４は、搬入ローラ対３２Ａの下流に配置された搬入ローラ対３４Ａと、搬入ローラ対３４Ａの下流に配設された可動案内部材３５とから構成されている。また搬入手段３６は、搬入ローラ対３４Ａの下流に配置された搬入ローラ対３６Ａと、搬入ローラ対３６Ａの下流に配設された静止案内部３７とから構成されている。可動案内部材３１、３３及び３５の各々は、搬入ローラ対３０Ａ、３２Ａ及び３４Ａによって搬送される用紙を、第２用紙搬送路１０に沿って案内する第１案内位置（図１において実線で示される位置）と、第２用紙搬送路１０から分岐して用紙受け台２０に向けて案内する第２案内位置（図１において２点鎖線で示される分岐位置）とに、図示しないソレノイドを含む作動機構によって選択的に位置付けられるよう構成されている。
【００２３】
図１を参照して、第２用紙搬送路１０を通して搬送されるＡ３縦を第２用紙搬送路１０から分岐させて用紙受け台２０に搬入させる場合には、最上流位置にある搬入手段３０の可動案内部材３１を第２案内位置に位置付ける（他の可動案内部材３３及び３５は第１案内位置に位置付けられた状態に保持される）。同様にＢ４縦を用紙受け台２０に搬入させる場合には、搬入手段３２の可動案内部材３３を第２案内位置に位置付ける（他の可動案内部材３１及び３５は第１案内位置に位置付けられた状態に保持される）。Ａ４縦を用紙受け台２０に搬入させる場合には、搬入手段３４の可動案内部材３５を第２案内位置に位置付ける（他の可動案内部材３１及び３３は第１案内位置に位置付けられた状態に保持される）。またＡ４横を搬入手段３６を通して用紙受け台２０に搬入させる場合には、可動案内部材３１、３３及び３５の全てを第１案内位置に位置付けた状態に保持しておけばよい。以上の構成及び作用により、用紙受け台２０に受け入れられる用紙のもぐり込みが防止される。なお縦方向に搬送されるＢ５サイズの用紙を、Ａ４横と兼用して、搬入手段３６を通して用紙受け台２０に搬入させることも可能である。同様にして、上記したサイズとは異なる他のサイズの用紙を、いずれかの搬入手段を通して用紙受け台２０に搬入させることも可能である。
【００２４】
用紙受け台２０は搬送方向長さの異なる複数種類の用紙を受け入れうる長手方向長さ及び幅を有している。この実施形態においては、上記Ａ３縦、Ｂ４縦、Ａ４縦及びＡ４横の４種類の用紙を受け入れうる長手方向長さ及び幅を有している。フィニッシャ２はまた、搬入手段３０、３２、３４及び３６のいずれかによって用紙受け台２０に選択的に搬入された用紙の一端を受け止めてストックしうる受止手段である受止部材３８と、受止部材３８に受け止められてストックされた用紙束をソート用排出ローラ対２４、したがってソート用排出トレイ２６に向けて移動させうる用紙移動手段４０とを備えている。用紙移動手段４０は、用紙受け台２０の長手方向に間隔をおいて配置された駆動プーリ４２及び従動プーリ４３と、駆動プーリ４２及び従動プーリ４３間に巻き掛けられた無端ベルト４４とを備えている。無端ベルト４４は駆動プーリ４２及び従動プーリ４３間を直線状に延びる直線移動部を有しており、この直線移動部は、用紙受け台２０の裏面に沿って用紙受け台２０の長手方向に延在しかつ同方向に移動しうるよう配置されている。駆動プーリ４２は図示しない電磁クラッチを介して電動モータＭに駆動連結されている。電磁クラッチがＯＮさせられて駆動プーリ４２が回転駆動されると、無端ベルト４４は図１において反時計方向に回転駆動させられ、無端ベルト４４の直線移動部は、用紙受け台２０の長手方向の一方からソート用排出トレイ２６に向けて移動させられる。
【００２５】
更に具体的に説明すると、駆動プーリ４２及び従動プーリ４３は、用紙受け台２０の幅方向（図１において表裏方向）中央部に間隔をおいて一対配設され、各駆動プーリ４２及び従動プーリ４３間に無端ベルト４４が巻き掛けられている。上記一対の無端ベルト４４には上記受止部材３８がそれらに跨がって一体に装着されている。受止部材３８は、図１に示すように、用紙受け台２０の幅方向に見て実質上Ｌ形状をなすＬ形状部が形成されており、無端ベルト４４の直線移動部に位置付けられた状態において、用紙受け台２０の表面（用紙が受け入れられる側の表面）から突出して位置付けられ、そして上記幅方向から見て用紙受け台２０の表面との間に、実質上チャンネル形状をなす用紙の受止部３９が、用紙受け台２０の幅方向に延在するように形成される。受止部材３８の各々の幅（用紙受け台２０の幅と同方向の幅）は、各サイズの用紙の一端を受け止めてストックしうる長さに規定されている。無端ベルト４４の各々は、用紙受け台２０の幅方向中央部に間隔をおいて配置されているので、用紙受け台２０の幅方向中央部には、受止部材３８が用紙受け台２０に干渉することなく長手方向に移動しうるよう、図示しない移動空間が設けられている。この移動空間は、用紙受け台２０を二つのプレート部材から構成し、各プレート部材を上記幅方向に間隔をおいて配置することにより、あるいは一つのプレート部材に上記移動空間に相当する切欠きを形成することにより形成される。無端ベルト４４の各々が図示しない電動モータにより１回転させられると、受止部材３８はホームポジションに戻される。フィニッシャ２にはまた、用紙後処理手段であるステイプラー４６が備えられている。ステイプラー４６は、用紙受け台２０の、上記ソート用排出トレイ２６と反対側の端部に配設されている。そして受止部材３８の受止位置（ホームポジション）は、ステイプラー４６による後処理が遂行される後処理位置と一致するよう規定されている。
【００２６】
用紙受け台２０の裏面側には、用紙の整合手段が設けられている。整合手段は、用紙受け台２０の幅方向に間隔をおいて位置付けられた一対の幅寄せ板４８と、一対の幅寄せ板４８を上記幅方向に往復移動させるための図示しない幅寄せ機構とを備えている。一対の幅寄せ板４８は、用紙受け台２０の表面に沿って幅方向に往復移動自在に配置されている。幅寄せ機構は、幅寄せ板４８の各々に対応して上記幅方向に相互に独立して往復移動しうるよう配設された、ラックを含む移動体と、各移動体のラックにそれぞれ噛み合うよう配設されたピニオンギヤと、ピニオンギヤの各々を相互に独立して回転駆動しうるよう、ピニオンギヤの各々に対応して配設された駆動源である電動モータとを備えている。この電動モータの各々は正転逆転可能である。幅寄せ板４８の各々は、対応する移動体に装着され、それらと一体に上記幅方向に移動させられる。なお、幅寄せ機構には、幅寄せ板４８の各々のホームポジションを検出するための図示しないホームポジション検出器が、幅寄せ板４８の各々に対応して配設されている。電動モータの各々にはロータリエンコーダあるいは周波数発生器等の回転量検出器が装着されており、これらの検出信号により幅寄せ板４８の、用紙のサイズに対応した移動量が規定される。
【００２７】
上記フィニッシャ２の第２用紙搬送路１０にはバイパス搬送路５０が配設されている。バイパス搬送路５０は、搬送ローラ手段１４の下流側において第２用紙搬送路１０から分岐して第２用紙搬送路１０に並行して延在してから第２用紙搬送路１０に合流するよう配設されている。バイパス搬送路５０が第２用紙搬送路１０と合流する位置は、この実施形態においては、搬入ローラ対３４Ａの直上流位置に規定されている。第２用紙搬送路１０とバイパス搬送路５０との分岐部は、搬送ローラ手段１４の被駆動ローラ１４ａと従動ローラ１４ｂとのニップ部と、被駆動ローラ１４ａと従動ローラ１４ｃとのニップ部との間に位置付けられている。第２用紙搬送路１０とバイパス搬送路５０との分岐部には、他の分岐爪５２が配設されている。
【００２８】
分岐爪５２は図示しない電磁ソレノイドによって図２において実線で示す第１の位置と、図２において２点鎖線で示す第２の位置とに作動させられるよう構成されている。先に述べた分岐爪１２が図２において実線で示す第２の位置に位置付けられた状態において、分岐爪５２の電磁ソレノイドがＯＦＦの状態では、分岐爪５２が図２において実線で示す第１の位置に位置付けられ、上記用紙搬入口６から第１用紙搬送路８を通して搬入された用紙は、搬送ローラ手段１４の被駆動ローラ１４ａ及び従動ローラ１４ｂによって、第２用紙搬送路１０に向けて搬送される。また、分岐爪５２の電磁ソレノイドがＯＮされると、分岐爪５２が図２において２点鎖線で示す第２の位置に位置付けられ、用紙搬入口６から第１用紙搬送路８を通して搬入された用紙は、搬送ローラ手段１４の被駆動ローラ１４ａ及び従動ローラ１４ｂ、被駆動ローラ１４ａ及び従動ローラ１４ｃによってこの順に、第２用紙搬送路１０とバイパス搬送路５０との分岐部からバイパス搬送路５０に向けて搬送される。
【００２９】
次に、上記搬入ローラ対３０Ａ、３２Ａ、３４Ａ及び３６Ａの駆動系について説明する。この実施形態において、第２用紙搬送路１０の上流側に配置された搬入ローラ対３０Ａ及び３２Ａの被駆動ローラ３０ａと３２ａとは、図示しない動力伝達機構、例えば、歯付きプーリ及び歯付きベルトからなる動力伝達機構によって相互に連動するよう構成されている。また第２搬送第２用紙搬送路１０の下流側に配置された搬入ローラ対３４Ａ及び３６Ａの被駆動ローラ３４ａと３６ａとは、図示しない同様な動力伝達機構、によって相互に連動するよう構成されている。搬入ローラ対３４Ａの被駆動ローラ３４ａとフィニッシャ２に配設された駆動源である電動モータＭとは、それ自体周知の構成を利用することでよい図示しない電磁クラッチを介して駆動連結されている。したがってこの電磁クラッチをＯＮ作動させることにより、搬入ローラ対３４Ａ及び３６Ａを同時に回転駆動させることができ、また電磁クラッチをＯＦＦ作動させることにより、搬入ローラ対３４Ａ及び３６Ａの回転を同時に停止させることができる。
【００３０】
他方、搬入ローラ対３４Ａの被駆動ローラ３０ａは、本発明に従って構成された動力伝達装置７０を介して駆動源である電動モータＭに駆動連結されている。図３を参照して、動力伝達装置７０は、駆動源である電動モータＭと、被駆動ローラ３０ａとの間に配設されて電動モータＭと被駆動ローラ３０ａとを駆動連結するトルクリミッタ７２と、作動時には被駆動ローラ３０ａの回転を停止させ、非作動時には被駆動ローラ３０ａの回転を自在に許容するブレーキ手段７４とを備えている。
【００３１】
フィニッシャ２に配設された静止枠７６には駆動軸７８が軸受７９を介して回転自在に支持されている。駆動軸７８には駆動ギヤ８０が駆動軸７８と一体に回転できるよう装着されている。静止枠７６には静止軸８２が固定されている。駆動軸７８に対し間隔をおいて平行に延在するよう配置された静止軸８２には、入力ギヤ８４、トルクリミッタ７２、出力ギヤユニット８６が回転自在に支持されている。入力ギヤ８４は駆動ギヤ８０に噛み合わされている。トルクリミッタ７２は、設定されたトルク値の範囲内においては入力側から出力側に回転トルクを伝達するが、出力側に設定トルク値を越える力が作用した場合にはトルクの伝達を遮断する周知の機械要素である。それ自体は周知の構成を利用することでよいトルクリミッタ７２は、この実施形態においては、内輪と、内輪に対し相対回転自在に装着された外輪と、内輪に締まりばめされかつ一端が外輪に係合されたコイルばねとを備えている。トルクリミッタ７２の入力側、すなわち図示しない入力部材である外輪は、入力ギヤ８４と一体に回転できるよう連結され、トルクリミッタ７２の出力側、すなわち図示しない出力部材である内輪は、出力ギヤユニット８６と一体に回転できるよう連結されている。出力ギヤユニット８６は軸方向に隣接して一体に配設された一対の出力ギヤ８６ａ及び８６ｂから構成されている。出力ギヤユニット８６の一方の出力ギヤ８６ａは、搬入ローラ対３０Ａの被駆動ローラ３０ａの被駆動ギヤ８８に噛み合わされている。駆動ローラ３０ａ及び被駆動ギヤ８８は回転軸３０ｃに固定されている。回転軸３０ｃは図示しない支持枠に図示しない軸受を介して回転自在に支持されている。
【００３２】
静止枠７６には静止軸９０が固定されている。静止軸８２に対し間隔をおいて平行に延在するよう配置された静止軸９０には、中間ギヤ９２が回転自在に支持されている。中間ギヤ９２は、出力ギヤユニット８６の他方の出力ギヤ８６ｂに噛み合わされている。ブレーキ手段７４は電磁クラッチ９４を利用することにより構成されている。それ自体は周知の構成を利用することでよい電磁クラッチ９４は、図３においては明確に図示されていないが、この実施形態においては、入力部材である入力ギヤ９６及び出力部材である出力軸９８を備えると共に電磁力の非作用時には、入力ギヤ９６は出力軸９８に対し相対回転自在にさせられ、電磁力の作用時には、入力ギヤ９６は出力軸９８に対し相対回転できないように連結されるよう構成されている（例えば、特許第２６４９７３４号公報参照）。電磁クラッチ９４をブレーキ手段７４として利用するために、出力軸９８は回転できないように上記静止枠７６に固定されている。入力ギヤ９６は出力軸９８に回転自在に支持されている。入力ギヤ９６は、中間ギヤ９２及び出力ギヤユニット８６を介して被駆動ローラ３０ａの回転軸３０ｃと一体の被駆動ギヤ８８に駆動連結されている。中間ギヤ９２及び出力ギヤユニット８６は、入力ギヤ９６を、被駆動回転体である被駆動ギヤ８８、回転軸３０ｃ及び被駆動ローラ３０ａ（これらは一体である）に駆動連結する動力伝達手段を構成する。
【００３３】
電磁クラッチ９４の電磁力の非作用時、すなわちブレーキ手段７４の非作動時（ＯＦＦ）においては、電磁クラッチ９４の入力ギヤ９６は固定された出力軸９８に対し相対回転が自在に許容されるので、中間ギヤ９２、出力ギヤユニット８６、被駆動ギヤ８８、回転軸３０ｃ及び被駆動ローラ３０ａの回転が自在に許容される。その結果、電動モータＭの回転駆動力は、駆動ギヤ８０、入力ギヤ８４、トルクリミッタ７２、出力ギヤユニット８６を介して被駆動ギヤ８８、回転軸３０ｃ及び被駆動ローラ３０ａに伝達されて被駆動ローラ３０ａは回転させられる。
【００３４】
他方、電磁クラッチ９４の電磁力の作用時、すなわちブレーキ手段７４の作動時（ＯＮ）においては、電磁クラッチ９４の入力ギヤ９６は固定された出力軸９８に対し相対回転できないように連結されて回転が停止させられるので、中間ギヤ９２、出力ギヤユニット８６、被駆動ギヤ８８、回転軸３０ｃ及び被駆動ローラ３０ａの回転が停止させられる。その結果、トルクリミッタ７２の出力側には設定トルク値を越える力が作用し、外輪が内輪に対して摺動させられることにより相対回転させられるので、駆動ギヤ８０及び入力ギヤ８４はトルクリミッタ７２において空転させられ、電動モータＭから被駆動ギヤ８８、回転軸３０ｃ及び被駆動ローラ３０ａへの回転駆動力の伝達がトルクリミッタにおいて遮断される。このため、被駆動ギヤ８８、回転軸３０ｃ及び被駆動ローラ３０ａの回転の停止が維持される。
【００３５】
先に述べたように、従来の動力伝達装置においては、電磁クラッチがＯＦＦされると、電動モータとの駆動連結が切り離された被駆動ギヤ８８、回転軸３０ｃ及び被駆動ローラ３０ａは、被駆動ローラ３０ａの回転軸３０ｃを支持する軸受等の摩擦により停止させられる。しかしながら、軸受等の摩擦にはバラツキが存在すること、また電磁クラッチにより切り離された被駆動ローラ３０ａ側の回転体に慣性力が存在すること、等に起因して、所望するタイミングで停止しないおそれが多分に存在し、高い精度の迅速なタイミングで確実に停止させることは不可能に近い。これに対し、本発明による上記動力伝達装置７０においては、ブレーキ手段７４が作動すると、被駆動ギヤ８８、回転軸３０ｃ及び被駆動ローラ３０ａに中間ギヤ９２及び出力ギヤユニット８６を介して駆動連結された入力ギヤ９６が固定された出力軸９８にロックさせられるので、被駆動ギヤ８８、回転軸３０ｃ及び被駆動ローラ３０ａがブレーキ手段７４によって直接的に停止させられ（制動させられ）、しかも電動モータＭから被駆動ローラ３０ａへの回転駆動力の伝達がトルクリミッタ７２において遮断されることにより被駆動ローラ３０ａの回転の停止が維持されるので、高い精度の迅速なタイミングで確実に停止させることが可能になる。その結果、搬送中の用紙を高い精度をもって所定の停止位置に確実に停止させることができる。ブレーキ手段７４として既存の電磁クラッチ９４を利用した場合には、動力伝達装置７０を比較的低コストでしかも容易に実用化することが可能である。トルクリミッタ７２も広く実用化されているものを利用することができ、比較的低コストであるので、実用上有利である。
【００３６】
図示の実施形態によるフィニッシャ２は以上のように構成されており、以下その作動について図１〜図３を参照して説明する。なお、以下の説明は、複写機本体１０２に設けられた図示しないステイプル設定キーによってステイプル処理が指定されたステイプル処理モードの作動のうち、本発明にかかわる一部についての説明である。ステイプル処理モードの作動は図示しないコントローラによって遂行される。
【００３７】
電動モータＭが回転駆動させられ、搬入ローラ手段１４の被駆動ローラ１４ａが回転駆動させられる。分岐爪１２のソレノイドがＯＮされ、分岐爪１２は図１及び図２において実線で示す第２の位置に位置付けられる。分岐爪５２のソレノイドはＯＦＦの状態に保持され、分岐爪５２は図２において実線で示す第１の位置に位置付けられている。複写機本体１０２においては、ステイプル処理が指定され、また用紙のサイズがＡ４横に設定された後、複写動作が行なわれ、所定の画像が転写された用紙が複写機本体１０２の用紙排出ローラ対１０４により、フィニッシャ２の用紙搬入口６に排出される。用紙検出スイッチＳＷ１は用紙の先端を検出してＯＮとなる。用紙検出スイッチＳＷ１がＯＮすると、電動モータＭが回転駆動を開始する。ブレーキ手段７４はＯＦＦの状態に保持されるので、搬入ローラ対３０Ａ及び３２Ａが回転させられる。同時に、搬入ローラ対３４Ａ及び３６Ａの電磁クラッチがＯＮさせられて、搬入ローラ対３４Ａ及び３６Ａが回転させられる。また可動案内部材３１、３３及び３５のソレノイドはＯＦＦの状態に保持されているので、それらは第１案内位置（図１及び図２において実線で示される位置）に位置付けられている。
【００３８】
用紙排出ローラ対１０４によってフィニッシャ２の用紙搬入口６に排出された用紙は、第１用紙搬送路８を通して搬送ローラ手段１４に送られ、搬送ローラ手段１４の被駆動ローラ１４ａ及び従動ローラ１４ｂによって第２用紙搬送路１０に導入される。第２用紙搬送路１０に導入された用紙は、搬入ローラ対３０Ａ、３２Ａ、３４Ａ及び３６Ａにより可動案内部材３１、３３及び３５、並びに静止案内部３７に案内されて、用紙受け台２０に向けて搬入させられる。用紙受け台２０に搬入された用紙は、ホームポジションにある受止部材３８の受止部３９によってその一端が受け止められ、搬入移動が停止させられる。
【００３９】
用紙受け台２０において用紙であるＡ４横が受止部材３８に受け止められた後、整合手段の幅寄せ機構における図示しない電動モータの各々が正転駆動させられ、幅寄せ板４８の各々がホームポジションから相互に近付く方向に所定の距離だけ移動させられ、用紙受け台２０上の用紙が整合させられる。用紙が整合させられた後、電動モータの各々が逆転駆動させられ、幅寄せ板４８の各々は相互に離れる方向に所定の距離だけホームポジションまで移動させられる。用紙束１セットのステイプル枚数は、用紙検出スイッチＳＷ１のＯＮ−ＯＦＦ回数を１枚としてカウントすることができる。そして上記した作動の繰り返しによって、用紙が受止部材３８にステイプル枚数だけストックされると、整合手段による所定の整合動作（及び必要に応じて幅方向のステイプル位置決め動作）が行なわれた後、ステイプラー４６が作動させられ、ステイプル枚数を有する１セット目の用紙束にステイプル処理が遂行される。
【００４０】
用紙受け台２０に搬送されて形成される２セット目の用紙束における１枚目の用紙Ｐ１の後端が用紙検出スイッチＳＷ１を通過してから所定時間経過後に、ブレーキ手段７４がＯＮとなる。搬入ローラ対３０Ａ及び３２Ａの回転が停止させられる。既に搬入ローラ対３０Ａ及び３２Ａにニップされて第２用紙搬送路１０を搬送されている途中の１枚目の用紙Ｐ１は所定の停止位置で一時停止させられる（図２において実線で示す位置）。搬入ローラ対３０Ａの被駆動ローラ３０ａは、上記動力伝達装置７０によってきわめて高い精度のタイミングで確実に停止させられるので、１枚目の用紙Ｐ１は所定の停止位置に高い精度をもって確実に停止させられる。同時に分岐爪５２のソレノイドがＯＮされ、２セット目の用紙束における２枚目の用紙Ｐ２がバイパス搬送路５０に導入されるように、分岐爪５２は図２において２点鎖線で示す第２の位置に位置付けられる。２セット目の用紙束における２枚目の用紙Ｐ２の後端が用紙検出スイッチＳＷ１を通過すると同時に、用紙移動手段４０の駆動プーリ４２の電磁クラッチがＯＮされ、駆動プーリ４２が回転駆動させられる。無端ベルト４４が図１及び図２において反時計方向に回転駆動させられる。受止部材３８は、無端ベルト４４と一体に用紙受け台２０の表面に沿って移動させられるので、受止部材３８は、ステイプル処理が施された１セット目の用紙束を、用紙受け台２０の表面に沿ってソート用排出ローラ対２４（したがってソート用排出トレイ２６）に向けて移動させる。
【００４１】
この間に２枚目の用紙Ｐ２は搬送ローラ手段１４の被駆動ローラ１４ａ及び従動ローラ１４ｃによってバイパス搬送路５０に導入される。駆動プーリ４２の電磁クラッチがＯＮされてから所定時間経過後、ブレーキ手段７４がＯＦＦされる。搬入ローラ対３０Ａ及び３２Ａが回転駆動させられ、第２用紙搬送路１０において一時停止させられていた１枚目の用紙Ｐ１が再搬送させられる。再搬送させられた１枚目の用紙Ｐ１と、バイパス搬送路５０から第２用紙搬送路１０に合流させられる２枚目の用紙Ｐ２とは、相互に重合させられて用紙受け台２０に搬入させられる。先に述べたように、１枚目の用紙Ｐ１は所定の停止位置に高い精度をもって確実に停止させられているので、第２用紙搬送路１０において一時停止された１枚目の用紙Ｐ１の先端と、バイパス搬送路５０を通して搬送される２枚目の用紙Ｐ２の先端とが搬送方向に高い精度で一致して重合しながら用紙受け台２０に搬入させられる。したがって、用紙受け台２０において形成される用紙束の整合不良が防止される。また用紙Ｐ１の先端が所定の停止位置から過剰にオーバランして用紙受け台２０に突入しジャムが発生するおそれも解消される。用紙Ｐ１及びＰ２が用紙受け台２０に搬入させられる時には、１セット目の用紙束は、用紙受け台２０からソート用排出トレイ２６に排出され、受止部材３８は無端ベルト４４と共に１回転してホームポジションに戻されているので、相互に重合された用紙Ｐ１及びＰ２は受止部材３８によって受け止められる。なお、２セット目の用紙束における２枚目の用紙Ｐ２の後端が用紙検出スイッチＳＷ１を通過してから所定時間経過後に、分岐爪５２のソレノイドがＯＦＦされ、２セット目の用紙束における３枚目以降の用紙が第２用紙搬送路１０に導入されるように、分岐爪５２は図２において実線で示す第１の位置に戻される。３枚目以降の用紙は第２用紙搬送路１０のみを通って用紙受け台２０に搬入させられる。以上のステイプル処理は、ステイプル部数設定キーにより指定されたステイプル部数に達するまで繰り返し遂行される。ステイプル部数は、ステイプル処理が施された用紙束を移動させてソート用排出トレイ２６上に排出したらステイプル部数１としてカウントすることができる。
【００４２】
上記説明から容易に理解されるように、フィニッシャ２は、用紙受け台２０に搬送されて形成される用紙束のうち１セット目の用紙は第２用紙搬送路１０のみを通して搬送させられ、２セット目以降の１枚目の用紙１は第２用紙搬送路１０を通して搬送される途中において所定の停止位置で一時停止させられ、２枚目の用紙Ｐ２はバイパス搬送路５０を通して搬送され、次いで第２用紙搬送路１０で一時停止させられた１枚目の用紙Ｐ１が再搬送させられ、合流させられる２枚目の用紙Ｐ２と重合して用紙受け台２０に搬入させられるよう構成されている。そしてフィニッシャ２は、電動モータＭの回転駆動力を、少なくとも用紙Ｐ１を一時停止させる搬入ローラ対３０Ａにおける被駆動ローラ３０ａに解除自在に伝達する動力伝達装置７０を備えているので、回転動作と停止動作とが繰り返し行なわれる、用紙を搬送するための被駆動ローラ３０ａを高い精度の迅速なタイミングで確実に停止させることを可能にし、その結果、搬送中の用紙を高い精度をもって所定の停止位置に確実に停止させることを可能にする。また、第２用紙搬送路１０において一時停止された上記１枚目の用紙Ｐ１の先端と、バイパス搬送路５０を通して搬送される上記２枚目の用紙Ｐ２の先端とが搬送方向に高い精度で一致して重合しながら用紙受け台２０に搬入することを可能にするので、用紙Ｐ１の停止位置不良に起因する用紙束の整合不良が防止され、また先端が用紙受け台２０に突入してジャムが発生するおそれも解消される。
【００４３】
以上、本発明を実施形態に基づいて添付図面を参照しながら詳細に説明したが、本発明は上記実施形態に限定されるものではなく、本発明の範囲を逸脱することなく、更に他の種々の変形あるいは修正が可能である。例えば、本発明は、複写機本体１０２に装着されて、複写機本体１０２から搬入された用紙に用紙後処理を施した後に排出する形態のフィニッシャ２についてのみ適用されるものではなく、他の形態のフィニッシャについても上記実施形態におけると同様に適用可能である。他の形態のフィニッシャの具体例としては、用紙を反転させて搬送させることにより両面複写が可能な複写機における複写機本体の内部に装着されて、用紙の中間搬送路（用紙の返送路）を通して搬入された用紙に用紙後処理を施した後に排出する形態のフィニッシャを挙げることができる。また、上記実施形態においては、用紙受け台２０は上下方向に傾斜して配設されているが、用紙受け台２０が比較的水平に近い状態で配設されている実施形態においても本発明は何らの問題なく適用可能である。更にはまた、本発明による動力伝達装置は、画像形成機に備えられた給紙装置における、回転動作と停止動作とが繰り返し行なわれる搬送ローラ対、レジストローラ対等にも適用可能である。本発明による動力伝達装置を搬送ローラ対、レジストローラ対等に適用した場合には、搬送ローラ対、レジストローラ対等を高い精度の迅速なタイミングで確実に停止させることを可能にする。また、搬送中の用紙を高い精度をもって所定の停止位置に確実に停止させることを可能にするので、給紙装置の搬送精度をより向上させ、したがって画像形成機の性能を向上させることができる（更なる高速化も可能となる）。
【００４４】
本発明による動力伝達装置７０において、ブレーキ手段７４を構成する電磁クラッチ９４は上記実施形態に限定されるものではなく、同様な機能を有する電磁クラッチであれば、どのようなものでも適用可能である。またブレーキ手段７４は、電磁クラッチにより構成することなく、電磁ブレーキを含むどのような形態のブレーキであっても適用可能である。レイアウトが許すならば、被駆動回転体である被駆動ローラ３０ａにおける回転軸３０ｃ又は回転軸３０ｃに一体に連結された回転体を直接ブレーキ手段７４によって作用させる実施形態も可能である。動力伝達装置７０におけるギヤ類のレイアウト、ギヤの使用数等は図３に示す実施形態に限定されるものではなく、様々な変形が可能である。
【００４５】
【発明の効果】
本発明による動力伝達装置によれば、回転動作と停止動作とが繰り返し行なわれる被駆動回転体を高い精度の迅速なタイミングで確実に停止させることを可能にする。また、回転動作と停止動作とが繰り返し行なわれる、被搬送部材を搬送するための被駆動回転体を高い精度の迅速なタイミングで確実に停止させることを可能にし、その結果、搬送中の被搬送部材を高い精度をもって所定の停止位置に確実に停止させることを可能にする。本発明による動力伝達装置を備えた画像形成機によれば、回転動作と停止動作とが繰り返し行なわれる被駆動回転体を高い精度の迅速なタイミングで確実に停止させることを可能にする。また、回転動作と停止動作とが繰り返し行なわれる、用紙を搬送するための被駆動回転体を高い精度の迅速なタイミングで確実に停止させることを可能にし、その結果、搬送中の用紙を高い精度をもって所定の停止位置に確実に停止させることを可能にする。本発明による動力伝達装置を含むフィニッシャを備えた画像形成機によれば、中間搬送路において一時停止された１枚目の用紙の先端と、バイパス搬送路を通して搬送される２枚目の用紙の先端とが搬送方向に高い精度で一致して重合しながら用紙受け台に搬入することを可能にする。
【図面の簡単な説明】
【図１】本発明にしたがって構成された動力伝達装置を含むフィニッシャを備えた画像形成機の実施形態を示す概略構成図。
【図２】図１に示すフィニッシャの要部を拡大して示す図。
【図３】本発明に従って構成された動力伝達装置の実施形態を示す概略構成図。
【符号の説明】
２  フィニッシャ
１０  第２用紙搬送路（中間搬送路）
１４  搬送ローラ手段
２０  用紙受け台
３０、３２、３４、３６  搬入手段
３０Ａ、３２Ａ、３４Ａ、３６Ａ  搬入ローラ対
３０ａ  被駆動ローラ
５０  バイパス搬送路
７０  動力伝達装置
７２  トルクリミッタ
７４  ブレーキ手段
９４  電磁クラッチ
１００  複写機
【図１】
0003688967.tif 000002
【図２】
0003688967.tif 000003
【図３】
0003688967.tif 000004